(57)【要約】【課題】リサイクルの目的を達成しながら、ユーザーサイドにおいて、適宜且つ所望のデザイン変化（外観）及び照明効果をもたせることが可能な照明器具用の傘を提供すること。【解決手段】照明器具用の傘であって、ボタン等の加工目的で多数の孔２が穿孔された使用済み貝殻１を、隣接する貝殻１の前記孔２同士を繋ぐ連結手段３により複数個連結して構成した。【選択図】　　　図１
2004079489.tif 000002
【特許請求の範囲】
【請求項１】
照明器具用の傘であって、ボタン等の加工目的で多数の孔２が穿孔された使用済み貝殻１を、隣接する貝殻１の前記孔２同士を繋ぐ連結手段３により複数個連結して構成した照明器具用の傘。
【請求項２】
前記連結手段３が、針金３Ａ、紐３Ｂ、磁石３Ｃ、弾性挟持部材３Ｄの何れか一つ、又はこれらの組み合わせからなる、請求項１の照明器具用の傘。
【請求項３】
前記照明器具が電気スタンドであって、前記貝殻１の連結がリング状に構成された傘本体下部１Ａと、ドーム状に構成された傘本体上部１Ｂとから成り、該傘本体上部１Ｂが、電球の取り替えが可能なように、電気スタンド本体４又は前記傘本体下部１Ａに対して着脱自在とされている、請求項１又は請求項２の照明器具用の傘。
【請求項４】
前記照明器具が電気スタンドであって、前記貝殻１の連結が半球状に構成された傘本体下半球部１Ｃと、傘本体上半球部１Ｄとから成り、該傘本体上半球部１Ｃが、電球の取り替えが可能なように、前記傘本体下半球部１Ｄに対して、磁石５，５により着脱自在とされている、請求項１の照明器具用の傘。
【発明の詳細な説明】
【０００１】
【発明の属する分野】
本発明は、器照器具用の傘に関し、特に、インテリアとしての外観と、特異照明効果の期待ができる電気スタンド等に適したところの照明器具用の傘に関する。
【０００２】
【従来の技術】
従来において、照明器具、特に、インテリアとしての外観が問題となる電気スタンド等においては、その傘の構造、形状、素材が問題とされてきた。
勿論、インテリアとしての外観のみならず、照明の光線についても、半透明、所定の色彩の傘を通して放つ光の変化についても大きな関心が持たれている。
【０００３】
この種の傘としては、最もポピュラーなフレームに布を被せた布製のもの、意匠感を重視したプラスチック製のもの等が普及している。これらは、何れも照明器具（電気スタンド等）専用として製造されたものである。そして、製造された傘は、メーカー側において企画されたデザインのものとして、大量生産されたものである。
【０００４】
【発明が解決しようとする課題】
これまでの照明器具用の傘は、上述したように、大量生産方式であるが故に、そのデザイン（外観）が固定されたものであって、各ユーザーの感性を反映させる余地のないものであった。
同時に、照明の効果（光の放射と陰影）といったものも固定されているので、好みの照明効果を発揮させることができないものであった。
【０００５】
そこで、本発明は、ユーザーサイドにおいてしでも傘のデザインを容易に変化させ、同時に前述の照明の効果についても、個性を発現できるようにすることができないものかと研究を重ねてきた。
同時に、傘の製造において、これを新たな素材を加工して通常に製造するのではなく、昨今問題となっている素材のリサイクルという観点から、再利用可能な素材を見出して加工することで、或いは、出来るだけ手を加えないで安価に所望の傘を製造できなものかということで、種々の素材について試験を重ねてきた。
【０００６】
本発明は、上述した照明器具用の傘として、リサイクルの目的を達成しながら、ユーザーサイドにおいて、適宜且つ所望のデザイン変化（外観）及び照明効果をもたせることが可能な照明器具用の傘を提供することを目的とする。
【０００７】
【課題を解決するための手段】
本発明にかかる照明器具用の傘は、上記目的を達成するべく、照明器具用の傘であって、ボタン等の加工目的で多数の孔２が穿孔された使用済みの貝殻１を、隣接する貝殻１の前記孔２同士を繋ぐ連結手段３により複数個連結して構成したものである。
【０００８】
【発明の実施の形態】
本発明において、前記連結手段３が、針金３Ａ、紐３Ｂ、磁石３Ｃ、弾性挟持部材３Ｄの何れか一つ、又はこれらの組み合わせからなるのが好ましい。
また、実施例で示すように、前記照明器具が電気スタンドであって、前記貝殻１の連結がリング状に構成された傘本体下部１Ａと、ドーム状に構成された傘本体上部　１Ｂとから成り、該傘本体上部１Ｂが、電球の取り替えが可能なように、電気スタンド本体４又は前記傘本体下部１Ａに対して着脱自在とされているのが好ましい。
【０００９】
更に、前記照明器具が電気スタンドであって、前記貝殻１の連結が半球状に構成された傘本体下半球部１Ｃと、傘本体上半球部１Ｄとから成り、該傘本体上半球部１Ｃが、電球の取り替えが可能なように、前記傘本体下半球部１Ｄに対して、磁石５，５により着脱自在とされているの好ましい。
【００１０】
上述したリサイクルとしての貝殻１は、例えば、主にボタン用として用いられる白蝶貝、黒蝶貝、茶蝶貝、アコヤ貝、メキシコ蝶貝等の二枚貝が挙げられるが、他に、高瀬貝やアワビのような巻き貝も利用できる。
【００１１】
また、上記連結手段３の針金３Ａは、予め短く切られた手指で容易に曲げられる程度の細いものが、組み付け、分解の便宜上好ましく、また、紐３Ｂについても、意匠感を配慮した適宜の太さ（編み）、色、長さのものを用いることができる。更に、組み付け、分離を容易にする磁石３Ｃについては、永久磁石同士、或いは一方を磁性体とすることも可能である。また、弾性挟持部材３Ｄとしては、弾性を有する鋼製のクリップが良いが、樹脂成型品の弾性嵌合を可能にするスナップのようなものを用いてもよい。
【００１２】
【実施例】
以下、本発明に係る照明器具用の傘の好適実施例について、図面を参照して詳述する。図１及び図２に示すように、この実施例は、照明器具用の傘の一実施例として、電気スタンド（白色又は透明電球が好ましい）について説明する。
この電気スタンドは、照明機能については一般の電気スタンドと変わりのないものである。この電気スタンドに用いる傘は、ボタン等の加工目的で多数の孔２が穿孔された使用済み貝殻１を、隣接する貝殻１の前記孔２同士を繋ぐ連結手段３により複数個連結して構成する。
【００１３】
この貝殻１としては、この実施例では、直径約１０ｃｍ程度の扁平な白蝶貝の貝殻が用いてられており、この貝殻１には、直径約１５ｍｍ程度の孔２が１５、１６個穿孔されている。こうした貝殻１は、通常、穿孔された後に廃棄処分されるものである。　ここでは、洗浄したのちにニスを塗布して表面の安定化を図ってある。こうした貝殻１は、その大きさ、孔２の数について、格別に制限のあるものではなく、適宜のものを選択して用いて良い。
【００１４】
そして、前記連結手段３として、この実施例では、細い針金３Ａが用いられており、これを隣接する貝殻１の前記孔２同士に通して曲げて、両貝殻１を連結固定している。この連結手段３としては、図２に示すように、所要の孔２の位置で紐３Ｂ及び磁石３Ｃを用いるようにしても良い。この磁石３Ｃは、貝殻１の所要の位置に接着剤で固定される。こうした磁石３Ｃを用いる場合は、強い引っ張り作用で連結状態が容易に解除できるので、所要の意匠感を得るべき、適宜の時に組み変えが出来る。従って、上述した種々の連結手段３は、必要に応じて単独で用いるもよく、組み合わせて用いるようにしてよい。
【００１５】
図１において、前記貝殻１の連結は、リング状に構成された傘本体下部１Ａと、ドーム状に構成された傘本体上部１Ｂとから成り、該傘本体上部１Ｂが、電球７の取り替えが可能なように、電気スタンド本体４の電球フレーム６（前記傘本体下部１Ａとしてもよい）に載置して着脱自在とされている。
【００１６】
図３の右方に示すのは、傘の別の態様であって、照明器具が電気スタンドである点は同じであるが、前記貝殻１の連結が半球状に構成された傘本体下半球部１Ｃと、傘本体上半球部１Ｄとから成り、該傘本体上半球部１Ｃが、電球の取り替えが可能なように、前記傘本体下半球部１Ｄに対して、磁石５，５により着脱自在とされている。図３では、該傘本体上半球部１Ｃが少し持ち上げられた状態で示されている。
【００１７】
図３の左方に示すのは、貝殻１の電気スタンド本体４に対する取り付け方法の一例を示しており、ここでは、一枚の貝殻１の孔２を貫通するボルト連結が用いられており、これをベースとして、連結手段３として、クリップ構造の弾性挟持部材３Ｄを用いて、順次隣接の貝殻１を繋げて行くようにしている。
【００１８】
【発明の効果】
本発明の照明器具用の傘は、廃棄物としての貝殻を格別の加工を施すことなくリサイクルするという目的を達成しながら、ユーザーサイドにおいて、傘の外観変更〈意匠感の変更〉と、照明効果（光の放射状態、陰影）を、傘の組み立て時のみならず、必要な時に適宜容易に変化させ得る利点がある。こうした傘は、電気スタンド、定置型の照明器具等、適宜の照明器具に適用できる。
本発明のその他の具体的な効果は、上記発明の実施の態様の項及び実施例の項において詳述した通りである。
【図面の簡単な説明】
【図１】本発明にかかる照明器具用の傘の一例を示す電気スタンドの全体の正面図である。
【図２】本発明にかかる照明器具用の傘の他の例を示す要部の斜視図である。
【図３】本発明にかかる照明器具用の傘の他の実施例を示す分解状態の斜視図である。
【符号の説明】
１　貝殻
１Ａ　傘本体下部
１Ｂ　傘本体上部
１Ｃ　傘本体下半球部
１Ｄ　傘本体上半球部
２　孔
３　連結手段
３Ａ　針金
３Ｂ　紐
３Ｃ　磁石
３Ｄ　弾性挟持部材
４　電気スタンド本体
５　磁石
【図１】
2004079489.tif 000003
【図２】
2004079489.tif 000004
【図３】
2004079489.tif 000005